(57)【要約】      （修正有）【課題】電気照明器具の笠の汚れを防止するシート状カバーで取り付け、取り外しが容易な汚れ防止用シート状カバーを提供する。【解決手段】笠１の天面部１ａを覆う大きさを有するシート状カバー２で、中央部に開口部４を有し、外周端縁部から開口部に至るスリット５を形成し、粘着性を有する止着部材６によって笠の天面部に止着可能とする。【選択図】図３
0003101932.tif 000002
【実用新案登録請求の範囲】
【請求項１】
少なくとも電気照明器具の笠の天面部を覆う大きさを有するシート状カバーで、中央部に電気照明器具の突出部及び電気コードあるいは吊り下げコードを挿通し得る開口部を有するとともに少なくとも外周端縁部の一箇所から開口部に至るスリットを形成し、粘着性を有する止着部材によって笠の天面部に止着可能とした電気照明器具の汚れ防止用シート状カバー。
【請求項２】
シート状カバーの外周端縁部に沿って笠寸法に合わせて余分な端縁部を切除する際の切断基準線を連続又は不連続状態に設けてなる請求項１記載の電気照明器具の汚れ防止用シート状カバー。
【請求項３】
夜光塗料、蓄光塗料等の発光性材料を付与してなる請求項１又は２記載の電気照明器具の汚れ防止用シート状カバー。
【考案の詳細な説明】
【技術分野】
【０００１】
この考案は電気照明器具の汚れ防止用シート状カバーに関し、特に光反射用あるいは電球、蛍光灯保護用の笠を有する電気照明器具の当該笠の汚れを防止するために使用する汚れ防止用シート状カバーに関する。
【背景技術】
【０００２】
リビングルーム、ダイニングルームなどにおいて使用される電気照明器具としては、天井より吊り下げるタイプの照明器具がよく用いられている。通常は光反射用あるいは電球、蛍光灯保護用の笠を有する場合が多いが、笠の汚れ防止対策は特に施されていないのが現状である。
【考案の開示】
【考案が解決しようとする課題】
【０００３】
しかしながら、使用を継続するうちに笠の天面部に塵や埃がたまりやすく、さらにはキッチンで発生した油煙やタバコのヤニ等の汚れが付着して簡単な清掃では取り除くことができなくなる場合が多い。
【０００４】
そこで、本考案の目的とするところは、これらの汚れが笠の天面部に直接付着するのを防止するカバーを提供するところにある。また、照明器具に装着する際、天井から吊下げた状態のまま装着可能であり、汚れた場合には簡単に新しいカバーと取替え可能な汚れ防止用カバーを提供するところにある。
【課題を解決するための手段】
【０００５】
上記目的を達成するため、本考案の電気照明器具の汚れ防止用シート状カバーは次のように構成される。
【０００６】
すなわち、少なくとも電気照明器具の笠の天面部を覆う大きさを有するシート状カバーで、中央部に電気照明器具の突出部及び電気コードあるいは吊り下げコードを挿通し得る開口部を有するとともに少なくとも外周端縁部の一箇所から開口部に至るスリットを形成し、粘着性を有する止着部材によって笠の天面部に止着可能としたものである。
【０００７】
中央部に電気照明器具の突出部及び電気コードあるいは吊り下げコードを挿通し得る開口部を有し、外周端縁部から開口部に至るスリットを形成しているので、照明器具に装着する際にはスリットを利用して電気コードあるいは吊り下げコードを挿通し、照明器具に突出部がある場合には開口部に納めて笠の天面部にシート状カバーを展延すればよく、天井から照明器具を取り外す必要はない。笠に対する止着は両面接着テープや粘着材などの粘着性を有する止着部材によって止着するもので、カバーが汚れた場合には逆の手順で簡単に取り外し可能であるため、新しいカバーと交換することができる。
【０００８】
電気照明器具の笠には代表例として丸型と角型があるが、本考案のシート状カバーもこれに合わせて平面形状において円盤状のものと四角形状のものを用意する。角型の笠の場合、笠の天面部も四角形状の平面形状をしているため、平面四角形状のシート状カバーをそのまま笠の天面部に展延すればよいが、丸型の笠の場合、その立体面にシート状カバーを沿わせる必要がある。したがってこの場合には外周端縁部から開口部に達しないスリットを複数箇所に設けておき、このスリットにおいて重なり状態を調整するようにしておけば簡単に笠の立体的曲面に沿わせることができる。また、このようなスリットに替えて開口部から始まり外周端縁部に達しないスリットを複数箇所に設けることも考えられる。
【０００９】
電気照明器具の笠寸法は種々存在するため、シート状カバーも大・中・小の３サイズ程度を用意しておくのが好ましい。さらに笠装着時における美観の点からすれば、笠の寸法に合わせて調整を可能としておくことが望まれるが、そのためにはシート状カバーの外周端縁部に沿って笠寸法に合わせて余分な端縁部を切除する際の切断基準線を設けておけばその基準線に沿って不要な端縁部を簡単に切除することができる。切断基準線は適宜の感覚をあけて二重に形成しておくことも考えられる。また、切断基準線の設け方としては
罫書き、印刷等が考えられるが、連続状または不連続状のいずれであっても良い。スリットを形成して切断基準線とする際には不連続状に形成することになる。
【００１０】
さらにまた、シート状カバーに夜光塗料、蓄光塗料等の発光性材料を付与しておけば夜間の予期せぬ停電があっても暗闇の中で照明器具の位置を容易に確認でき、安全な行動をとりやすくなる。この発光性材料を付与する方法としては、例えばシート状カバーを構成するシート材料に直接配合したり、シート状カバーの表面に塗工或いは印刷する方法等通常用いられる手段が採用できる。
【００１１】
また、シート状カバーの表面に種々のデザインを印刷したり、着色を施せば、装飾性を持たせることが可能となる。シート状カバーの材質としては、不織布、織布、紙類、フィルムなど各種材質を使用することができるが、笠の曲面に沿うように柔軟性が有することが望ましく、また、ある程度の耐久性も望まれるので不織布がよい。また、照明器具の笠に使用する点からすれば、難燃性、不燃性のものであることが望ましい。
【考案の効果】
【００１２】
本考案に係る汚れ防止用シート状カバーは天井から吊下げられた電気照明器具の笠に対する取り付けが容易であり、笠の天面部の汚れを有効に防止し得るものである。カバー自体が汚れた場合には新しいカバーと簡単に取り替えることができるので清掃する手間なく長期に渡って笠の汚れを防止することができる。
【考案を実施するための最良の形態】
【００１３】
以下添付の図面に従って本考案に係る電気照明器具の汚れ防止用シート状カバーの実施態様について説明する。
【００１４】
図１は、天井より吊下げられる角型の電気照明器具の概略図（Ａ）と本考案に係るシート状カバーの斜視図（Ｂ）であり、図２は天井より吊下げられる丸型の電気照明器具の概略図（Ａ）と本考案に係るシート状カバーの斜視図（Ｂ）を示している。
【００１５】
図１及び図２において符号１はいずれも照明器具の笠を示し、その天面部１ａを覆うために本考案に係るシート状カバー２が用いられる。角型、丸型いずれのシート状カバー２も照明器具の笠１の天面部１ａを覆う大きさを有しており、中央部には電気照明器具の突出部及び電気コード３あるいは吊り下げコードを挿通し得る開口部４が形成されている。
【００１６】
また、シート状カバー２には外周端縁部の一箇所から開口部４に至るスリット５が形成されるとともに、笠１にシート状カバー２を止着するための両面接着テープ６がスリット５の近辺に２枚、１８０度対向した位置に１枚、９０度ずれた位置に各々１枚ずつ、計５枚取り付けられている。
【００１７】
図３及び図４は角型照明器具を例にとってその笠１の天面部１ａを覆うようにシート状カバー２を取り付ける場合を例示したもので、照明器具を天井から取り外すことなく、シート状カバー２のスリット５において電気コード３を通過させ、笠１の天面部１ａにシート状カバー２を展延して両面接着テープ６で止着するのみで取付は完了する。
【００１８】
両面接着テープ６はシート状カバー２の裏面に予めその片面を止着しておき、笠１に取り付ける際に他面の剥離紙を剥がして止着する例を示しているが、シート状カバー２とは別途に用意しておき、取り付け時に適宜の箇所で止着するようにしても良い。
【００１９】
シート状カバー２の中央部に形成される開口部４は、電気照明器具に突出部がある場合はこれを納め得る大きさとする必要があるが、単に電気コード３あるいは吊り下げコードを挿通するのみでよい場合はこれに即した大きさがあれば十分である。
【００２０】
丸型電気照明器具の場合、丸型の笠１の立体的曲面にシート状カバー２を沿わせる必要があるが、スリット５の両側に位置する自由端の重なり状態を調整して沿わせるようにすれば良い。さらに調整を容易にするためには、外周端縁部から開口部４に達しないスリットを複数箇所に設けるか、開口部４から始まり外周端縁部に達しないスリットを複数箇所に設ければ良い。
【００２１】
このシート状カバー２は汚れれば取り外しが可能であり、新しいカバーを取り付けることにより長期に渡って照明器具の笠の汚れを防止することができる。
【００２２】
なお、上記は実施態様の一例を示すもので、本考案の技術的思想の範囲内において種々の態様を採用し得ることはいうまでもない。
【図面の簡単な説明】
【００２３】
【図１】角型の電気照明器具の概略斜視図（Ａ）と本考案に係る汚れ防止用シート状カバーの斜視図（Ｂ）。
【図２】丸型の電気照明器具の概略斜視図（Ａ）と本考案に係る汚れ防止用シート状カバーの斜視図（Ｂ）。
【図３】角型の電気照明器具の笠に汚れ防止用シート状カバーを装着する状況を示す斜視図。
【図４】装着完了状態における斜視図。
【符号の説明】
【００２４】
１…照明器具の笠
１ａ…天面部
２…シート状カバー
３…電気コード
４…開口部
５…スリット
６…両面接着テープ
【図１】
0003101932.tif 000003
【図２】
0003101932.tif 000004
【図３】
0003101932.tif 000005
【図４】
0003101932.tif 000006